(57)【特許請求の範囲】
【請求項１】
タグ検出範囲に存在するＲＦＩＤタグに記憶された情報を読み取るＲＦＩＤ読み取り部と、予め登録済みのＲＦＩＤタグ情報を記憶するＲＦＩＤ登録情報記憶部と、前記ＲＦＩＤ読み取り部で読み取ったＲＦＩＤタグ情報と前記ＲＦＩＤ登録情報記憶部に予め登録済みのＲＦＩＤタグ情報との認証を行うＲＦＩＤ認証部と、前記ＲＦＩＤ認証部の情報を表示する表示部と、を備えた動態監視システムにおいて、
前記ＲＦＩＤ登録情報記憶部は、前記ＲＦＩＤタグ情報に紐づけられた所定の付加情報を記憶する追加登録情報記憶部を有し、
前記ＲＦＩＤ認証部は、前記タグ検出範囲に存在する複数の前記ＲＦＩＤタグから読み取られた前記ＲＦＩＤタグ情報のそれぞれに紐づけられた前記付加情報の比較処理を行い、比較結果に基づいて前記表示部に情報を表示させることを特徴とする動態監視システム。
【請求項２】
前記ＲＦＩＤ認証部は、前記ＲＦＩＤ読み取り部で読み取ったＲＦＩＤタグ情報を一定時間記録し、該一定時間経過後に前記記録されたＲＦＩＤタグ情報のそれぞれに紐づけられた前記付加情報を前記追加登録情報記憶部から読み出す一時記憶部と、前記一時記憶部からの情報に基づき前記付加情報を比較することで前記表示部への表示の有無を判定する通知判定部と、を有することを特徴とする請求項１に記載の動態監視システム。
【発明の詳細な説明】
【技術分野】
【０００１】
この発明は、識別情報が記憶されたＲＦＩＤタグを利用して人などの移動体の現在位置を把握する動態監視システムに関するものである。
【背景技術】
【０００２】
ＲＦＩＤ(Ｒａｄｉｏ Ｆｒｅｑｕｅｎｃｙ Ｉｄｅｎｉｆｉｃａｔｉｏｎ)タグを利用して人などの移動体の現在位置を把握する動態監視システムが、例えば特開２００９−３１０５５号公報（特許文献１）に開示されている。この従来の動態監視システムは、一般に図１２のように構成されている。
図１２において、動態監視システム１０は、識別情報が記憶されたＲＦＩＤタグ情報を読み取るＲＦＩＤ読み取り部１１と、予め登録済みのＲＦＩＤタグ情報を記憶するＲＦＩＤ登録情報記憶部１２と、ＲＦＩＤ読み取り部１１で読み取ったＲＦＩＤタグ情報とＲＦＩＤ登録情報記憶部１２に予め登録済みのＲＦＩＤタグ情報との認証を行うＲＦＩＤ認証部１３と、人などの移動体の位置情報を記録する位置情報記憶部１４とを備える構成となっている。
【０００３】
前記構成による動態監視システム１０は、次のように動作する。操作者がＲＦＩＤタグの情報をＲＦＩＤ読み取り部１１に読み込ませると、読み取られた情報がＲＦＩＤタグの認証を行うＲＦＩＤ認証部１３に送られ、ＲＦＩＤ認証部１３がＲＦＩＤ登録情報記憶部１２からＲＦＩＤ登録情報を人数分読み取り、ＲＦＩＤ認証部１３で両情報の認証処理を行い、位置情報記憶部１４へ送る。このように動作することによりＲＦＩＤタグの所有者である操作者の動態を監視する。
【先行技術文献】
【特許文献】
【０００４】
【特許文献１】特開２００９−３１０５５号公報
【発明の概要】
【発明が解決しようとする課題】
【０００５】
ところで、特許文献１に開示された発明は、移動体が通過するゲートの通過方向に第１赤外線センサ並びに第２赤外線センサを設置し、第１並びに第２センサは、移動体がゲートを通過するに伴って第１センサのみが作動し、その後第２センサのみが作動するようにゲートの位置に設置され、移動体が携行するＲＦＩＤタグからのＩＤ信号並びに第１、第２センサからの出力信号に基づいて移動体の動態を監視するものであり、ＲＦＩＤタグ情報を読込み管理する方法について開示されている。しかし、この特許文献１ではＲＦＩＤの持つ広範囲な読取エリアによる特性が活かされておらず、複数のＲＦＩＤタグ情報を読込むことにより、セキュリティに活用する方法が考慮されていない。
【０００６】
この発明は、前記問題点に鑑みてなされたもので、同一範囲内に存在する複数のＲＦＩＤタグ情報を検出することにより、その検出結果をセキュリティに活用する動態監視システムを提供することを目的とする。
【課題を解決するための手段】
【０００７】
この発明に係る動態監視システムは、タグ検出範囲に存在するＲＦＩＤタグに記憶された情報を読み取るＲＦＩＤ読み取り部と、予め登録済みのＲＦＩＤタグ情報を記憶するＲＦＩＤ登録情報記憶部と、前記ＲＦＩＤ読み取り部で読み取ったＲＦＩＤタグ情報と前記ＲＦＩＤ登録情報記憶部に予め登録済みのＲＦＩＤタグ情報との認証を行うＲＦＩＤ認証部と、前記ＲＦＩＤ認証部の情報を表示する表示部と、を備えた動態監視システムにおいて、前記ＲＦＩＤ登録情報記憶部は、前記ＲＦＩＤタグ情報に紐づけられた所定の付加情報を記憶する追加登録情報記憶部を有し、前記ＲＦＩＤ認証部は、前記タグ検出範囲に存在する複数の前記ＲＦＩＤタグから読み取られた前記ＲＦＩＤタグ情報のそれぞれに紐づけられた前記付加情報の比較処理を行い、比較結果に基づいて前記表示部に情報を表示させるものである。
【発明の効果】
【０００８】
この発明に係る動態監視システムによれば、前記構成により、同一範囲内に存在する複数のＲＦＩＤタグ情報を検出することにより、その検出結果をセキュリティに活用する動態監視システムを提供することができる。
【図面の簡単な説明】
【０００９】
【図１】実施の形態１に係る動態監視システムを説明するブロック構成図である。
【図２】実施の形態１に係る動態監視システムの追加登録情報記憶部に記憶される付加情報の一例を示す図である。
【図３】実施の形態１に係る動態監視システムの追加登録情報記憶部に記憶される付加情報の一例を示す図である。
【図４】実施の形態１に係る動態監視システムの運用例を説明する図である。
【図５】実施の形態１に係る動態監視システムの運用例を説明する図である。
【図６】実施の形態１に係る動態監視システムの運用例を説明する図である。
【図７】実施の形態１に係る動態監視システムの運用例を説明する図である。
【図８】実施の形態１に係る動態監視システムの運用例を説明する図である。
【図９】実施の形態１に係る動態監視システムの運用例を説明する図である。
【図１０】実施の形態１に係る動態監視システムの運用例を説明する図である。
【図１１】実施の形態１に係る動態監視システムの動作を説明する図である。
【図１２】従来の動態監視システムを説明するブロック構成図である。
【発明を実施するための形態】
【００１０】
以下、添付の図面を参照して、この発明に係る動態監視システムについて好適な実施の形態を説明する。なお、この実施の形態により発明が限定されるものではなく、諸種の設計的変更を含むものである。
【００１１】
実施の形態１．
図１は、実施の形態１に係る動態監視システムを説明するブロック構成図である。図１において、符号２０は動態監視システムを示し、この動態監視システム２０は、識別情報が記憶されたＲＦＩＤタグ情報を読み取るＲＦＩＤ読み取り部１１と、予め登録済みのＲＦＩＤタグ情報を記憶するＲＦＩＤ登録情報記憶部２１と、ＲＦＩＤ読み取り部１１で読み取ったＲＦＩＤタグ情報とＲＦＩＤ登録情報記憶部２１に予め登録済みのＲＦＩＤタグ情報との認証を行うＲＦＩＤ認証部２２と、人などの移動体の位置情報を記録する位置情報記憶部１４と、ＲＦＩＤ認証部２２の情報を表示する表示部２３を備える構成となっている。
【００１２】
そして、ＲＦＩＤ登録情報記憶部２１には、ＲＦＩＤタグの登録情報を拡張した追加登録情報記憶部２４が備えられており、この追加登録情報記憶部２４には後述するように、ＲＦＩＤタグ情報に紐づけられた所定の付加情報が記憶されている。また、ＲＦＩＤ認証部２２には、ＲＦＩＤ読み取り部１１で読み取ったＲＦＩＤタグ情報を一定時間（数百ｍｓ程度）記録しておく一時記憶部２５と、後述するように必要と判定された情報を表示部２３に表示させる通知判定部２６が備えられている。
【００１３】
なお、追加登録情報記憶部２４が設けられて、ここにＲＦＩＤタグ情報に紐づけられた所定の付加情報が記憶される理由は次のとおりである。即ち、一般に、入退室管理に用いられる付加情報（例えば入室可能なエリアの設定など）は、ＲＦＩＤやＩＤカード側で設定せずに、管理用パソコン側で一元的に管理される。これは、セキュリティシステムとしてＲＦＩＤやＩＤカードなどに付加情報を持たせると、改ざんなどの恐れがあり、また、やり取りする情報量が増加すると応答速度など性能的な面に大きな影響を与えるためである。そのため、この実施の形態では追加登録情報記憶部２４を設け、ここにＲＦＩＤタグ情報に紐づけられた所定の付加情報を記憶している。
【００１４】
実施の形態１に係る動態監視システムは前記のように構成されており、次にその動作について説明する。
操作者がＲＦＩＤタグの情報をＲＦＩＤ読み取り部１１に読み込ませると、読み取られた情報がＲＦＩＤタグの認証を行うＲＦＩＤ認証部２２に送られ、ＲＦＩＤ認証部２２がＲＦＩＤ登録情報記憶部２１から予め登録されているＲＦＩＤ登録情報を人数分読み取り、ＲＦＩＤ認証部２２で両情報の認証処理を行い、位置情報記憶部１４へ送る。この時、ＲＦＩＤ認証部２２に送られたＲＦＩＤタグ情報は、一定時間、一時記憶部２５に記憶され、その一定時間が経過した後に一時記憶部２５に存在するＲＦＩＤタグ情報がそのエリアに存在するＲＦＩＤタグ情報であるとして、追加登録情報記憶部２４からＲＦＩＤタグ情報に紐づけられた所定の付加情報をそれぞれ読み出し、通知判定部２６にて管理者への通知の有無を判定し、表示部２３に情報を表示する。
【００１５】
図２及び図３は、追加登録情報記憶部２４に記憶される付加情報を示す図である。なお、図２及び図３に示す付加情報は、一例であって目的あるいは用途により任意に設定できるものである。
図２において、付加情報の項目として、識別ＩＤ、属性、管理レベル、アクセス権限を設け、属性には、属性１、属性２、属性３の３つの階層を設定する。そして、属性１には図２に示すように、０：社員、１：訪問者、２：物品と設定し、属性２には部門秘用属性として、０：属性なし、１：経理部、２：総務部、３：開発部、４：営業部、５：品証部と設定し、属性３には極秘用属性として、０：属性なし、１：課長級、２：部長級、３：所長級、４：役員級と設定する。
【００１６】
また、図３に示すように、管理レベルには、管理者、即ち表示部２３への表示内容のレベルとして、０〜３の４段階に区分して表示するようにし、アクセス権限には、機密度に従って０〜３の４段階に区分する。
【００１７】
次に、前記のように設定された実施の形態１に係る動態監視システムの運用例について説明する。
図４は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ１、ＩＤタグＡの２つのタグが存在した場合を示しており、ＩＤ：Ａは物品であって社外秘扱いで、同一エリア内にアクセス権限保持者がいない場合に管理者、即ち表示部２３への通知を行う設定である。また、ＩＤ：１は社員であって社外秘へのアクセス権限を有しており、この場合には管理者、即ち表示部２３への通知は行わない。
【００１８】
図５は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグＡの１つのタグが存在した場合を示しており、ＩＤ：Ａは物品であって社外秘扱いで、同一エリア内にアクセス権限保持者がいない場合に管理者、即ち表示部２３への通知を行う設定で、この場合には管理者、即ち表示部２３への通知を行う。
【００１９】
図６は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ２、ＩＤタグＡの２つのタグが存在した場合を示しており、ＩＤ：Ａは物品であって社外秘扱いで、同一エリア内にアクセス権限保持者がいない場合に管理者、即ち表示部２３への通知を行う設定である。また、ＩＤ：２は社員であるが社外秘へのアクセス権限を有しておらずこの場合には管理者、即ち表示部２３への通知を行う。
【００２０】
図７は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ１、ＩＤタグ２、ＩＤタグＡが登録された登録件数５の場合に、タグ検出範囲にＩＤタグ１、ＩＤタグ２、ＩＤタグＡの３つのタグが存在した場合を示しており、ＩＤ：Ａは物品であって社外秘扱いで、同一エリア内にアクセス権限保持者がいない場合に管理者、即ち表示部２３への通知を行う設定である。また、ＩＤ：１は社員であって社外秘へのアクセス権限を有しており、ＩＤ：２は社員であるが社外秘へのアクセス権限を有していない。この場合には管理者、即ち表示部２３への通知は行わない。
【００２１】
図８は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ１、ＩＤタグ２、ＩＤタグＡの３つのタグが存在した場合を示しており、ＩＤ：Ａは物品であって社外秘扱いで、同一エリア内にアクセス権限非保持者いた場合に管理者、即ち表示部２３への通知を行う設定である。また、ＩＤ：１は社員であって社外秘へのアクセス権限を有しており、ＩＤ：２は社員であるが社外秘へのアクセス権限を有していない。この場合には管理者、即ち表示部２３への通知を行う。
【００２２】
図９は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ１、ＩＤタグ２、ＩＤタグＡの３つのタグが存在した場合を示しており、ＩＤ：Ａは物品で部門外秘(経理部)扱いで、同一エリア内にアクセス権限保持者いない場合に管理者、即ち表示部２３への通知を行う設定である。また、ＩＤ：１は社員であって部門外秘へのアクセス権限(経理部)を有しており、ＩＤ：２は社員であるが部門外秘へのアクセス権限を有していない。この場合には管理者、即ち表示部２３への通知は行わない。
【００２３】
図１０は、ＲＦＩＤ登録情報記憶部２１のデータベースに、ＩＤタグ１、ＩＤタグ２、ＩＤタグ３、ＩＤタグ４、ＩＤタグＡが登録された登録件数５の場合に、タグ検出範囲にＩＤタグ１、ＩＤタグ２、ＩＤタグＡの３つのタグが存在した場合を示しており、ＩＤ：Ａは物品で極秘(部長級)扱いであって、同一エリア内にアクセス権限保持者いない場合に管理者、即ち表示部２３への通知を行う設定である。また、ＩＤ：１は社員であるが極秘（部長級）へのアクセス権限を有しておらず（課長級）、ＩＤ：２は社員であるが極秘へのアクセス権限を有していない。この場合には管理者、即ち表示部２３への通知を行う。
【００２４】
次に、実施の形態１に係る動態監視システムの動作について説明をする。図１１は、実施の形態１に係る動態監視システムの動作を説明するフローチャートである。まず、図１１（ａ）のフローチャートについて説明する。
図１１（ａ）において、電源投入により処理を開始し、まずＲＦＩＤ読み取り部１１でＲＦＩＤタグ情報の検出処理を行う（ＳＴ１）。この検出処理は、ＲＦＩＤタグ情報が検出されるまで行なわれる（ＳＴ２）。
【００２５】
次に、ＲＦＩＤタグ情報が読み出せた場合、ＲＦＩＤ登録情報記憶部２１のデータベースからＲＦＩＤタグ情報の登録データの読み出しを行い（ＳＴ３）、ＲＦＩＤ認証部２２で登録データとＲＦＩＤ読み取り部１１で読み出した情報の認証処理を行う。（ＳＴ４）
【００２６】
ＳＴ４で実施された認証処理結果は、一時記憶部２５の一時記憶リスト１に対して追加登録を行う（ＳＴ５）。本フローチャートはこの処理を繰り返す。
【００２７】
次に、図１１（ｂ）のフローチャートについて説明する。
図１１（ｂ）において、電源投入により処理を開始し、一定時間（数１００ｍｓ程度）経過を待つ（ＳＴ７）。この一定時間が経過した場合に一時記憶部２５の一時記憶リストの更新処理を実行し（ＳＴ８）、図１１のＳＴ５で追加登録している一時記憶リスト１の読み出しを行い（ＳＴ９）、一時記憶リスト２への上書きをすると共に（ＳＴ１０）、一時記憶リスト１の内容を消去する（ＳＴ１１）。本フローチャートはこの処理を繰り返す。これにより一時記憶リスト２は常にそのエリアに存在するＲＦＩＤタグ情報を持つことが出来る。
【００２８】
次に、図１１（ｃ）のフローチャートについて説明する。
図１１（ｃ）において、電源投入により処理を開始し、一時記憶リストのチェックを行う（ＳＴ１２）。一時記憶リストの登録数が０件でない場合（ＳＴ１３：ＹＥＳ）に、一時記憶リスト２を読出し（ＳＴ１４）、一時記憶リスト３への上書きをすると共に（ＳＴ１５）、一時記憶リスト２の消去を行う（ＳＴ１６）。
【００２９】
次に、一時記憶リストのＲＦＩＤ認証結果にＮＧが含まれている場合（ＳＴ１７：ＹＥＳ）、対象の情報を通知するために管理者通知リストに追加を行う（ＳＴ１８）。
【００３０】
次に、登録データの比較処理を行い（ＳＴ１９）、アクセス権限無しなど、比較結果がＮＧとなった場合（ＳＴ２０：ＹＥＳ）に、対象の情報を管理者通知リストに追加する（ＳＴ２１）。
【００３１】
次に、管理者通知リストが０件でない場合（ＳＴ２２：ＹＥＳ）に、管理者通知リストの内容を管理者へ通知すると共に（ＳＴ２３）、管理者通知リストの消去を行い一時記憶リスト３に登録されている情報を用いて位置情報の記録を行う（ＳＴ２５）。本フローチャートはこの処理を繰り返す。
【００３２】
以上のように、実施の形態１に係る動態監視システムは、ＲＦＩＤ登録情報記憶部２１に追加登録情報記憶部２４を設け、この追加登録情報記憶部２４に属性、管理レベル、アクセス権限等のＲＦＩＤタグ情報に紐づけられた所定の付加情報を予め設定しておき、ＲＦＩＤ読み取り部１１で読み取ったＲＦＩＤタグ情報を基に、追加登録情報記憶部２４から上記付加情報をそれぞれ読み出し、この読み出した情報を通知判定部２６で表示部２３への通知の有無を判定する。これにより、改ざんなどの恐れのためＲＦＩＤタグに設定できなかったセキュリティ上必要な監視事項、例えば機密情報の置き忘れ、不正な閲覧や訪問者の不審行動などの動態監視が可能となる。
【符号の説明】
【００３３】
１０、２０  動態監視システム
１１  ＲＦＩＤ読み取り部
１２、２１  ＲＦＩＤ登録情報記憶部
１３、２２  ＲＦＩＤ認証部
１４  位置情報記憶部
２３  表示部
２４  追加登録情報記憶部
２５  一時記憶部
２６  通知判定部
【図１】
0005626067.tif 000002
【図２】
0005626067.tif 000003
【図３】
0005626067.tif 000004
【図４】
0005626067.tif 000005
【図５】
0005626067.tif 000006
【図６】
0005626067.tif 000007
【図７】
0005626067.tif 000008
【図８】
0005626067.tif 000009
【図９】
0005626067.tif 000010
【図１０】
0005626067.tif 000011
【図１１】
0005626067.tif 000012
【図１２】
0005626067.tif 000013